(57)【要約】【課題】生体認証情報を取得し、顔写真とともに印刷する。【解決手段】利用者が撮影ＳＷを押下することにより、カメラ１２により顔写真の撮影が行われる。また、ＢＭデータ取得装置１４により、生体認証情報（ＢＭデータ）が取得される。顔画像データ及びＢＭデータは、関連付けられて記憶部１７に記憶される。そして、利用者がプリントＳＷを押下すると、プリンタ１８により、印刷用紙に顔写真と、二次元バーコード化されたＢＭデータとが印刷される。ＢＭデータは、印刷用紙の顔写真として使用される範囲以外の部分に印刷されてもよいし、印刷用紙の裏面に印刷されてもよい。【選択図】図１
2005148537.tif 000002
【特許請求の範囲】
【請求項１】
利用者の顔を撮影して顔画像情報を生成する撮影手段と、前記顔画像情報に基づいて利用者の顔写真を印刷用紙に印刷する印刷手段と、を備えた顔写真撮影装置において、
前記利用者から生体認証情報を取得する生体認証情報取得手段と、
前記取得した生体認証情報を前記印刷用紙に印刷する命令を前記印刷手段に出力する制御手段と、
を備えたことを特徴とする顔写真撮影装置。
【請求項２】
請求項１に記載の顔写真撮影装置において、
前記制御手段は、前記取得した生体認証情報を前記印刷用紙における画像領域内に印刷する命令を前記印刷手段に出力することを特徴とする顔写真撮影装置。
【請求項３】
請求項１に記載の顔写真撮影装置において、
前記制御手段は、前記取得した生体認証情報を前記印刷用紙における画像領域外に印刷する命令を前記印刷手段に出力することを特徴とする顔写真撮影装置。
【請求項４】
請求項３に記載の顔写真撮影装置において、
前記制御手段は、前記取得した生体認証情報を前記印刷用紙における画像領域外であって当該画像印刷面と同一面に印刷する命令を前記印刷手段に出力することを特徴とする顔写真撮影装置。
【請求項５】
請求項３に記載の顔写真撮影装置において、
前記制御手段は、前記取得した生体認証情報を前記印刷用紙における画像印刷面の裏面に印刷する命令を前記印刷手段に出力することを特徴とする顔写真撮影装置。
【請求項６】
請求項１〜５のいずれか一項に記載の顔写真撮影装置において、
前記制御手段は、前記取得した生体認証情報を暗号化し、当該暗号化された生体認証情報を前記印刷用紙に印刷する命令を前記印刷手段に出力することを特徴とする顔写真撮影装置。
【請求項７】
請求項１〜６のいずれか一項に記載の顔写真撮影装置において、
前記取得した生体認証情報に、当該生体認証情報を取得した顔写真撮影装置に固有の識別情報を付帯させる付帯手段を備えたことを特徴とする顔写真撮影装置。
【発明の詳細な説明】
【技術分野】
【０００１】
本発明は、利用者の顔写真を撮影する顔写真撮影装置に関する。
【背景技術】
【０００２】
近年、各種団体の会員証や社員証、各種免許証等の身分証として、ＩＣメモリ内蔵のＩＤカードが普及してきている。このＩＤカードには、顔写真や個人情報（ＩＤ番号、住所、氏名、年齢、及び所属等）がカードの表面に直接印刷されるとともに、カードに内蔵されているＩＣメモリにデジタルデータ化した個人情報が記録されている。
【０００３】
また、免許証やパスポート、顔写真が印刷されたクレジットカード等の発行を申請する際には、申請書に写真を貼付する場合が多い。このような証明写真を撮影するために、ボックス型の顔写真撮影装置が街頭や駅構内等、利用者が利用しやすい場所に設置されている。例えば、複数回撮影を行って得られた複数の画像を同一記録媒体上にプリントする証明写真撮影装置や、装置に表示される撮影操作案内手順を選択可能な撮影装置が提案されている（例えば、特許文献１、２参照。）。
【特許文献１】特開２０００−２９１０号公報
【特許文献２】特開２００３−２０７８４０号公報
【発明の開示】
【発明が解決しようとする課題】
【０００４】
しかし、従来の顔写真撮影装置は、写真を撮影する機能を有するのみであった。例えば、各種ＩＤカードに用いられる顔写真においては、顔写真と本人とが一致するか否かが問題となる。本人認証を行うための技術として、指紋や虹彩等を用いた生体認証技術（Biometrics）が普及してきており、ＩＤカードにおける本人照合にも利用されている。このような背景から、顔写真撮影装置において、生体認証情報を取得することが望まれる。
【０００５】
本発明は、生体認証情報を取得し、顔写真とともに印刷することができる顔写真撮影装置を提供することを課題とする。
【課題を解決するための手段】
【０００６】
請求項１に記載の発明は、利用者の顔を撮影して顔画像情報を生成する撮影手段と、前記顔画像情報に基づいて利用者の顔写真を印刷用紙に印刷する印刷手段と、を備えた顔写真撮影装置において、前記利用者から生体認証情報を取得する生体認証情報取得手段と、前記取得した生体認証情報を前記印刷用紙に印刷する命令を前記印刷手段に出力する制御手段と、を備えたことを特徴としている。
【０００７】
請求項２に記載の発明は、請求項１に記載の顔写真撮影装置において、前記制御手段は、前記取得した生体認証情報を前記印刷用紙における画像領域内に印刷する命令を前記印刷手段に出力することを特徴としている。
【０００８】
請求項３に記載の発明は、請求項１に記載の顔写真撮影装置において、前記制御手段は、前記取得した生体認証情報を前記印刷用紙における画像領域外に印刷する命令を前記印刷手段に出力することを特徴としている。
【０００９】
請求項４に記載の発明は、請求項３に記載の顔写真撮影装置において、前記制御手段は、前記取得した生体認証情報を前記印刷用紙における画像領域外であって当該画像印刷面と同一面に印刷する命令を前記印刷手段に出力することを特徴としている。
【００１０】
請求項５に記載の発明は、請求項３に記載の顔写真撮影装置において、前記制御手段は、前記取得した生体認証情報を前記印刷用紙における画像印刷面の裏面に印刷する命令を前記印刷手段に出力することを特徴としている。
【００１１】
請求項６に記載の発明は、請求項１〜５のいずれか一項に記載の顔写真撮影装置において、前記制御手段は、前記取得した生体認証情報を暗号化し、当該暗号化された生体認証情報を前記印刷用紙に印刷する命令を前記印刷手段に出力することを特徴としている。
【００１２】
請求項７に記載の発明は、請求項１〜６のいずれか一項に記載の顔写真撮影装置において、前記取得した生体認証情報に、当該生体認証情報を取得した顔写真撮影装置に固有の識別情報を付帯させる付帯手段を備えたことを特徴としている。
【発明の効果】
【００１３】
請求項１に記載の発明によれば、利用者から生体認証情報を取得し、取得した生体認証情報を顔写真とともに印刷用紙に印刷することができる。
【００１４】
請求項２に記載の発明によれば、取得した生体認証情報を印刷用紙における画像領域内に印刷することができる。
【００１５】
請求項３に記載の発明によれば、取得した生体認証情報を印刷用紙における画像領域外に印刷することができる。
【００１６】
請求項４に記載の発明によれば、取得した生体認証情報を印刷用紙における画像領域外であって画像印刷面と同一面に印刷することができる。
【００１７】
請求項５に記載の発明によれば、取得した生体認証情報を印刷用紙における画像印刷面の裏面に印刷することができる。
【００１８】
請求項６に記載の発明によれば、取得した生体認証情報を暗号化し、暗号化された生体認証情報を印刷用紙に印刷するので、情報の漏洩を防止することができる。
【００１９】
請求項７に記載の発明によれば、生体認証情報に、生体認証情報を取得した顔写真撮影装置に固有の識別情報を付帯させるので、生体認証情報を取得した顔写真撮影装置を特定することができる。
【発明を実施するための最良の形態】
【００２０】
以下、図１〜図４を参照して本発明の実施の形態を詳細に説明する。ただし、発明の範囲は図示例に限定されない。
図１に、本実施の形態における顔写真撮影装置１０の機能的構成を示す。
図１に示すように、顔写真撮影装置１０は、制御部１１、カメラ１２、検知センサ１３、ＢＭデータ取得装置１４、入力装置１５、表示装置１６、記憶部１７、プリンタ１８、ストロボ１９、スピーカー２０、キャッシャー２１、Ｉ／Ｏユニット２２等を備える。顔写真撮影装置１０は、ボックス型の筐体を備えて構成され、街頭や駅構内等、利用者が利用しやすい各地に設置されている。
【００２１】
制御部１１は、図示しないＣＰＵ（Central Processing Unit）やＲＯＭ（Read Only Memory）、ＲＡＭ（Random Access Memory）等から構成され、顔写真撮影装置１０の各部を統括的に制御する。ＣＰＵは、入力装置１５から入力される各種指示に従って、ＲＯＭに記憶されている各種プログラムの中から指定されたプログラムをＲＡＭのワークエリアに展開し、上記プログラムとの協働によって各種処理を実行し、その処理結果をＲＡＭの所定の領域に格納する。
【００２２】
具体的に、制御部１１は、後述する顔画像情報（以下、「顔画像データ」という。）や生体認証情報（Biometrics Data；以下、「ＢＭデータ」という。）を印刷用紙に印刷する命令をプリンタ１８に出力する。印刷用紙における顔画像データの印刷位置に関する情報は、利用者が選択する写真種に応じた出力フォーマット毎に設定されており、記憶部１７に記憶されている。印刷用紙におけるＢＭデータの印刷位置に関する情報は、顔写真撮影装置１０毎に予め設定されており、記憶部１７に記憶されている。制御部１１は、これらの印刷位置に関する情報とともに、顔画像データ及びＢＭデータを印刷する指示をプリンタ１８に出力する。
【００２３】
また、制御部１１は、ＢＭデータを暗号化し、暗号化されたＢＭデータを二次元バーコード等に変換する。
また、制御部１１は、ＢＭデータのヘッダに、ＢＭデータを取得した顔写真撮影装置１０に固有の識別情報を付帯させる。
【００２４】
カメラ１２は、光学レンズ、ＣＣＤ（Charge Coupled Device）等の光学センサ、Ａ／Ｄ変換器等から構成され、光学レンズを介して入力される利用者の顔を撮影して顔画像データを生成する。
【００２５】
検知センサ１３は、顔写真撮影装置１０内に利用者が入ったことを検知して、その検知信号を制御部１１に出力する。
【００２６】
ＢＭデータ取得装置１４は、例えば、利用者の指紋、虹彩、手の甲の静脈パターン、掌紋、顔の特徴、声紋、あるいは、遺伝子情報等のＢＭデータを取得する装置である。なお、本実施の形態においては、ＢＭデータ取得装置１４は指紋センサを備え、利用者の指紋をＢＭデータとして取得するものとする。指紋センサは、リニア型ＣＣＤイメージセンサ、リニア型ＣＭＯＳイメージセンサ等の光電変換素子で構成され、センサの受光面に結像された指紋の一次元像を指紋画像データに変換する。ＢＭデータは、この指紋画像データであってもよいし、所定のアルゴリズムに従って抽出された特徴点データであってもよい。特徴点データとは、例えば指紋の場合には、各指紋画像の相違点が比較的明確な、指紋の頂点の位置や数等を示すデータをいう。特徴点データを用いることにより、指紋画像データそのものを用いる場合と比較して、本人認証を容易かつ迅速に行うことができる。
【００２７】
入力装置１５は、数字キー、撮影ＳＷ（Switch）、プリントＳＷ、各種機能キーを備えて構成され、各キー及びＳＷ操作による押下信号を制御部１１に出力する。なお、入力装置１５は、表示装置１６と一体に構成されるタッチパネルや、その他の入力装置を備えることとしてもよい。
【００２８】
表示装置１６は、ＣＲＴ（Cathode Ray Tube）やＬＣＤ（Liquid Crystal Display）等からなる表示画面を備え、制御部１１の制御に応じて、表示情報を表示する。
【００２９】
記憶部１７は、カメラ１２により撮影された顔画像データ、ＢＭデータ取得装置１４により取得されたＢＭデータを関連付けて記憶する。
【００３０】
プリンタ１８は、印刷装置等を備え、制御部１１の指示に従って、記憶部１７に記憶されている顔画像データに基づいて顔写真を印刷用紙に印刷する。また、プリンタ１８は、記憶部１７に記憶されているＢＭデータを印刷用紙に印刷する。
【００３１】
ストロボ１９は、撮影ＳＷが押下される際に、瞬間的に光を発し、撮影に充分な光量になるよう調節する。
【００３２】
スピーカー２０は、電気信号を音波に変換して出力する音声出力装置である。スピーカー２０は、顔写真撮影装置１０における音声案内を出力する。
【００３３】
キャッシャー２１は、硬貨や紙幣の入金口、釣り銭返金口等を備えた料金精算機であり、入金口から入金された金額の情報を制御部１１に出力し、制御部１１から指示された金額の硬貨又は紙幣を釣り銭返金口に排出する。
【００３４】
Ｉ／Ｏユニット２２は、制御部１１と、ストロボ１９、スピーカー２０、キャッシャー２１とを接続し、各種信号の入出力を行う。
【００３５】
次に、顔写真撮影装置１０における動作について説明する。
図２は、顔写真撮影装置１０において実行される顔写真撮影処理を説明するフローチャートである。
【００３６】
まず、顔写真撮影装置１０内に利用者が入ると、検知センサ１３により利用者が検知され（ステップＳ１）、表示装置１６に案内画面が表示される（ステップＳ２）。同時に、スピーカー２０により音声案内が出力される。以下の動作においても同様に、各処理毎に、スピーカー２０から音声案内が出力されることとしてもよい。
【００３７】
利用者がキャッシャー２１の入金口に料金を投入すると（ステップＳ３）、入金された金額が判断される。次に、表示装置１６に図３（ａ）に示すようなカラー／白黒選択画面が表示され、利用者がカラー写真か白黒写真かを選択する（ステップＳ４）。次に、表示装置１６に図３（ｂ）に示すような写真種選択画面が表示され、利用者が撮影を希望する写真種を選択する（ステップＳ５）。そして、キャッシャー２１により、選択された写真種に応じて料金の精算が行われ、釣り銭が排出される（ステップＳ６）。
【００３８】
次に、利用者が撮影ＳＷを押下すると（ステップＳ７）、ストロボ１９が発光し、カメラ１２により顔写真の撮影が行われ、顔画像データ（例えば、１６００×１２００）が生成される（ステップＳ８）。ここで、顔画像データのチェックが行われる（ステップＳ９）。例えば、顔が横を向いていないか、顔の大きさ及び位置（画像の外枠から顔までの距離等）は規格内であるか、等が判断される。顔画像データが顔写真撮影装置１０において利用可能なデータではないと判断された場合には（ステップＳ９；ＮＧ）、表示装置１６に再撮影の要求を示す画面が表示され、再び撮影が行われる。
【００３９】
顔画像データが顔写真撮影装置１０において利用可能なデータであると判断された場合には（ステップＳ９；ＯＫ）、顔画像データが記憶部１７に保存される（ステップＳ１０）。具体的には、顔画像データがプリンタ１８に合わせたサイズに変更され、色補正、切り出し、回転処理を施され、選択された写真種に応じた出力フォーマットに基づいて所定個数配置されて記憶される。
【００４０】
次に、ＢＭデータ取得装置１４により、ＢＭデータが取得される（ステップＳ１１）。ＢＭデータのヘッダには、ＢＭデータを取得した顔写真撮影装置１０に固有の識別情報が付帯される（ステップＳ１２）。ここで、取得されたＢＭデータのチェックが行われる（ステップＳ１３）。取得されたＢＭデータが顔写真撮影装置１０において利用可能なデータではないと判断された場合には（ステップＳ１３；ＮＧ）、表示装置１６にＢＭデータの再取得の要求を示す画面が表示され、再びＢＭデータの取得が行われる。
【００４１】
ＢＭデータが顔写真撮影装置１０において利用可能なデータであると判断された場合には（ステップＳ１３；ＯＫ）、ＢＭデータが顔画像データと関連付けられて記憶部１７に保存される（ステップＳ１４）。そして、ＢＭデータは暗号化され（ステップＳ１５）、さらに、二次元バーコードに変換される。
【００４２】
利用者がプリントＳＷを押下すると（ステップＳ１６）、プリンタ１８により、用紙に顔写真及びＢＭデータが印刷される（ステップＳ１７）。顔写真は、選択された写真種に応じた出力フォーマットに基づいて所定個数配置されてプリントされる。ＢＭデータは、予め設定されている位置に、二次元バーコードとしてプリントされる。二次元バーコードは、データ量の大小にかかわらず、予め設定された大きさの範囲内にサイジングされることとする。なお、二次元バーコードは、二次元バーコードを読み取るリーダー側の性能やモード設定にも左右されるが、リーダーで読み取り可能な寸法と解像度で印字する必要がある。印字寸法と解像度は、プリント性能はもちろん、データの大きさ、データの修復機能レベル（汚れやキズによるバーコードデータ不良を補正する機能）に影響されるが、例えば、印字寸法を１ｃｍ角以上とすることにより、読み取りが確実になる。
【００４３】
図４に、顔写真及びＢＭデータを印刷する際の配置例を示す。図４（ａ）は、顔写真が印刷される印刷用紙３０の画像領域内にＢＭデータ３１が印刷されている例である。ＢＭデータ３１は、二次元バーコード等を用いて、顔写真として使用される範囲３２以外の部分に印刷される。なお、ＢＭデータ３１が印刷される領域は、顔写真が印刷される印刷面と同一面の画像領域外であってもよい。
【００４４】
図４（ｂ）は、顔写真が印刷される印刷用紙３３の画像印刷面の裏面にＢＭデータ３４が印刷されている例である。ＢＭデータ３４は、顔写真の顔部分の裏面に印刷されることが好ましい。これにより、顔写真がトリミングされた場合でも、ＢＭデータ３４が印刷された部分は、顔部分とともに残る。
以上で、顔写真撮影処理が終了する。
【００４５】
したがって、顔写真撮影装置１０によれば、利用者からＢＭデータを取得し、顔写真とともにＢＭデータを印刷することができる。また、印刷されるＢＭデータが暗号化されているので、情報の漏洩を防止することができる。
【００４６】
また、ＢＭデータのヘッダには、ＢＭデータを取得した顔写真撮影装置１０に固有の識別情報が付帯されるので、ＢＭデータを取得した顔写真撮影装置１０を特定することができる。
【００４７】
なお、上記実施の形態における記述は、本発明に係る好適な顔写真撮影装置の例であり、これに限定されるものではない。顔写真撮影装置を構成する各部の細部構成及び細部動作に関しても本発明の趣旨を逸脱することのない範囲で適宜変更可能である。
【００４８】
例えば、利用者がプリント出力された顔写真を受け取る際に、再度ＢＭデータを取得し、記憶部１７に記憶されているＢＭデータと比較照合して認証が成功した場合にのみ、顔写真を受け取ることができるようにしてもよい。この場合、確実に利用者本人が顔写真を受け取ることができる。
【００４９】
また、顔写真撮影装置１０は、顔画像データやＢＭデータ等が記録されるＩＤカードの発行申請を行う受付端末として利用することも可能である。この場合、ＩＤカードを受け取る際に本人確認が必要となるため、利用者から再度ＢＭデータを取得するか、あるいは、利用者が持参したＢＭデータがプリントされた顔写真からＢＭデータを読み取ることによって、照合を行うこととしてもよい。
【図面の簡単な説明】
【００５０】
【図１】本発明の実施の形態における顔写真撮影装置１０の機能的構成を示すブロック図である。
【図２】顔写真撮影装置１０において実行される顔写真撮影処理を説明するフローチャートである。
【図３】表示装置１６に表示される選択画面の表示例である。
【図４】顔写真及びＢＭデータを印刷する際の配置例である。
【符号の説明】
【００５１】
１０  顔写真撮影装置
１１  制御部
１２  カメラ
１３  検知センサ
１４  ＢＭデータ取得装置
１５  入力装置
１６  表示装置
１７  記憶部
１８  プリンタ
１９  ストロボ
２０  スピーカー
２１  キャッシャー
２２  Ｉ／Ｏユニット
【図１】
2005148537.tif 000003
【図２】
2005148537.tif 000004
【図３】
2005148537.tif 000005
【図４】
2005148537.tif 000006